【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
互いに角度を成すように配置され、各々が面偏光によって形成された画像を提供する１対の広視野角ディスプレイと、
一方の前記ディスプレイからの光を透過させ他方の前記ディスプレイからの光を反射するように前記ディスプレイ間に配置されたビームコンバイナと、
を備え、
透過光および反射光が前記ビームコンバイナを介して実質的に同一の方向に供給され、
一方の前記広視野角ディスプレイが実質的に垂直の偏光を有し、前記広視野角ディスプレイの他方が実質的に水平の偏光を有する、
ことを特徴とするディスプレイシステム。
【請求項２】
前記ディスプレイが実質的に同一であり、各々の前記ディスプレイが１対の偏光子および前記１対の偏光子間に設けられた光学活性材料を関連して有し、前記光学活性材料がそれ自体を透過する光の偏光方向を変化させるように又はさせないように動作可能である、請求項１に記載のディスプレイシステム。
【請求項３】
一方の前記ディスプレイの前記偏光子が他方の前記ディスプレイの対応する偏光子に対して９０度回転している、請求項２に記載のディスプレイシステム。
【請求項４】
前記ディスプレイが同一の幅を有し、前記ディスプレイが同一の高さを有し、前記ビームコンバイナから見たときにそれぞれの幅および高さが実質的に一致している、請求項１から３のいずれかに記載のディスプレイシステム。
【請求項５】
前記ディスプレイがアクティブマトリクス液晶ディスプレイ（ＡＭＬＣＤ）である、上記請求項のいずれかに記載のディスプレイシステム。
【請求項６】
各々の前記ディスプレイが少なくとも１７０度の視野角を有する、上記請求項のいずれかに記載のディスプレイシステム。
【請求項７】
各々の前記ディスプレイが面内スイッチング（ＩＰＳ）液晶ディスプレイ（ＬＣＤ）である、上記請求項のいずれかに記載のディスプレイシステム。
【請求項８】
各々の前記ディスプレイがマルチドメイン垂直整合（ＭＶＡ）ＬＣＤである、上記請求項のいずれかに記載のディスプレイシステム。
【請求項９】
各々の前記ディスプレイが軸対称垂直整合（ＡＳＶ）ＬＣＤである、上記請求項のいずれかに記載のディスプレイシステム。
【請求項１０】
各々の前記ディスプレイが広い水平視野角および広い垂直視野角を維持する、上記請求項のいずれかに記載のディスプレイシステム。
【請求項１１】
各々の前記ディスプレイが法線視方向から垂直方向に少なくとも８０度の範囲の視野角に亘って少なくとも１０：１のコントラスト比を維持する、上記請求項のいずれかに記載のディスプレイシステム。
【請求項１２】
一方の前記ディスプレイが法線方向視角から水平方向に少なくとも８０度の範囲の視野角に亘って少なくとも１０：１のコントラスト比を維持する、上記請求項のいずれかに記載のディスプレイシステム。
【請求項１３】
前記ディスプレイが互いに約６０度から約１４０度の範囲の角度を成すように配置されている、上記請求項のいずれかに記載のディスプレイシステム。
【請求項１４】
前記ディスプレイが互いに約９０度から約１２０度の範囲の角度を成すように配置されている、上記請求項のいずれかに記載のディスプレイシステム。
【請求項１５】
前記ビームコンバイナが前記２つのディスプレイ間の角度のほぼ二等分線上に位置する、上記請求項のいずれかに記載のディスプレイシステム。
【請求項１６】
一方の前記ディスプレイに提示するデータを反転させて、他方の前記ディスプレイによって表示されるデータに対して反転した状態で表示するデータ処理システムをさらに含む、上記請求項のいずれかに記載のディスプレイシステム。
【請求項１７】
前記データ処理システムが輝度補償手段を含む、請求項１６に記載のディスプレイシステム。
【請求項１８】
前記輝度補償手段が垂直偏光画像の輝度ばらつきを補償する、請求項１７に記載のディスプレイシステム。
【請求項１９】
前記ビームコンバイナが偏光ビームスプリッタである、上記請求項のいずれかに記載のディスプレイシステム。
【請求項２０】
前記ビームコンバイナが第１の方向に沿った偏光を有する光を優先的に透過させ、前記第１の方向に直交する第２の方向に沿った偏光を有する光を優先的に反射する、上記請求項のいずれかに記載のディスプレイシステム。
【請求項２１】
各々の前記ディスプレイが１．５メガピクセルよりも高い解像度を有する、上記請求項のいずれかに記載のディスプレイシステム。
【請求項２２】
前記ディスプレイが約１６０度の垂直視野角範囲内でグレーレベルの反転を示さない、上記請求項のいずれかに記載のディスプレイシステム。
【請求項２３】
前記ディスプレイが約１６０度の水平視野角範囲内でグレーレベルの反転を示さない、上記請求項のいずれかに記載のディスプレイシステム。
【請求項２４】
両方の前記のディスプレイが短辺と長辺とを有する矩形であり、前記ディスプレイの向きは、両方の前記のディスプレイの短辺または長辺が共通の直線軸に平行であり、一方の前記ディスプレイが前記直線軸に平行な偏光方向を有し、他方の前記ディスプレイが前記直線軸に直交する偏光方向を有するようになっている、上記請求項のいずれかに記載のディスプレイシステム。
【請求項２５】
各々の前記ディスプレイが少なくとも１６０度の水平視野角を有する、上記請求項のいずれかに記載のディスプレイシステム。
【請求項２６】
各々の前記ディスプレイが少なくとも１６０度の垂直視野角を有する、上記請求項のいずれかに記載のディスプレイシステム。
【請求項２７】
両方の前記のディスプレイからの光が前記ビームコンバイナを介して共通の光路に供給されて見られるようになっており、前記ビームコンバイナからの光を受け取って両方の前記のディスプレイからの像を前記共通の光路とは別のさらなる光路を介して提供するように、前記ビームコンバイナに対して設けられたミラーをさらに含む、上記請求項のいずれかに記載のディスプレイシステム。
【請求項２８】
各々の前記ディスプレイが、
互いに直交する偏光を有する前偏光子および後偏光子と、
前記後偏光子の向きに一致するデュアル輝度上昇フィルム（ＤＢＥＦ）と、
を含む、上記請求項のいずれかに記載のディスプレイシステム。
【請求項２９】
前記ディスプレイからの画像を右目で見る画像と左目で見る画像とに分離するために偏光子が用いられる、上記請求項のいずれかに記載のディスプレイシステム。
【請求項３０】
前記偏光子が眼鏡フレーム内の偏光レンズである、請求項２９に記載のディスプレイシステム。
【請求項３１】
立体的画像を表示する方法であって、
第１の広視野角ディスプレイ上の左目画像と第２の広視野角ディスプレイ上の右目画像とを同時に表示し、前記左目画像と前記右目画像とが互いに直交する方向の光学偏光を有するようにすることと、
ビームコンバイナであって、一方が前記ビームコンバイナから直接見ることができ、他方が前記ビームコンバイナからの反射光によって見ることができるように、前記２つの広視野角ディスプレイに対して配置されたビームコンバイナを用いることと、
前記左目画像と前記右目画像とを共通の光路上で組み合わせ、左目画像部分の光学偏光と右目画像部分の光学偏光とが前記共通の光路内で異なり、前記画像部分が前記光学偏光に基づいて分離可能であるようにすることと、
を含む方法。
【請求項３２】
１対の高解像度広視野角ディスプレイを含む高解像度広視野角立体ディスプレイシステムを提供する方法であって、各々の前記高解像度広視野角ディスプレイが相対的に垂直方向の面偏光子と相対的に水平方向の後偏光子とを有し、前記偏光子の一方が対応する前記高解像度広視野角ディスプレイの前方にあり他方が後方にある、高解像度広視野角立体ディスプレイシステムを提供する方法であって、
一方の前記高解像度広視野角ディスプレイに対して前記前後偏光子を９０度回転させて方向づけし直すことと、
前記高解像度広視野角ディスプレイを互いに角度を成すように配置し、ビームコンバイナを、一方の前記高解像度広視野角ディスプレイからの光を透過させ他方の前記高解像度広視野角ディスプレイからの光を実質的に同一の方向に反射するように前記高解像度広視野角ディスプレイ間に設け、それにより前記ディスプレイからの光が直交偏光となるようにすることと、
を含む方法。
【請求項３３】
ディスプレイシステムを製造する方法であって、
１対の偏光子と、光の偏光方向を選択的に変えるように動作可能なように前記偏光子間に設けられた光学材料とを有する第１の液晶ディスプレイ（ＬＣＤ）を選択することと、
前記第１のＬＣＤと実質的に同一の第２のＬＣＤを選択することと、
前記第２のＬＣＤの偏光子を、前記第１のＬＣＤの対応する偏光子に実質的に直交するように前記光学材料に対して位置づけ直すことと、
を含む方法。
【請求項３４】
前記第１および第２のＬＣＤを互いに角度を成すように配置し、ビームコンバイナを、一方の前記ＬＣＤからの光を透過させ他方の前記ＬＣＤからの光を実質的に同一の方向に反射するように前記第１のＬＣＤと前記第２のＬＣＤとの間に設け、それにより前記ＬＣＤからの光が直交偏光となるようにすることをさらに含む、請求項３３に記載の方法。
【請求項３５】
液晶セルと、前記液晶セルの互いに対向する側に取り付けられた１対の偏光子とを有する液晶ディスプレイを準備する方法であって、
前記液晶セルから前記１対の偏光子を取り外し、前記液晶セルの互いに対向する側に、元の向きに対して９０度の向きに取り付け直すことを含む方法。